(57)【特許請求の範囲】
【請求項１】
固形の食べ物を入れる食品容器と飲料用コップを連結させる筒状の食品容器連結器具であって、内側に載置される前記食品容器の挿入口である上開口部と、内側に載置される前記飲料用コップの挿入口であって、テーパー状に形成されることで前記上開口部の断面の面積に比べて断面の面積が小さい下開口部と、内側に挿入された前記飲料用コップの上部が係止される第一切り込み止め部と、前記第一切り込み止め部に比べて、前記下開口部に近い位置に形成され、内側に挿入された前記飲料用コップの上部が係止される第二切り込み止め部とで構成され、前記上開口部から挿入された前記食品容器は、前記食品容器の底面の面積に比べて断面の面積が小さくなる箇所で係止されることにより載置され、前記上開口部から挿入された前記飲料用コップは、前記第一切り込み止め部または前記第二切り込み止め部において、前記飲料用コップの上部が内側から外側へ突出することにより係止されることを特徴とする食品容器連結器具。
【請求項２】
前記食品容器連結器具は、軟性な材質で、一枚の板状からなり、組み立てると中空洞の四角錘の形状をしたもので構成され、下部側面４面に前記飲料用コップの上部が差し込み固定できるよう第一切り込み止め部および第二切り込み止め部と、ストロー差し込み口、飲料水注ぎ込み口を設け、折りたたみできるよう構成したことを特徴とする請求項１に記載する食品容器連結器具。
【発明の詳細な説明】
【技術分野】
【０００１】
本発明は、飲料用コップと食品容器を片手で持ち飲食できるよう対策を施した、食品容器連結    器具に関するものである。
【背景技術】
【０００２】
従来から、食品容器連結器具に関する器具は提供されている。
（特許文献１）
【先行技術文献】
【特許文献】
【０００３】
【特許文献１】特開２００７−３２６６３８
【発明の概要】
【発明が解決しようとする課題】
【０００４】
（イ）特許文献１は、紙コップを重ねる構造であるため飲料用紙コップの内容量が少なくなる          上、ストロー差し込み口を紙コップ自体に設ける構造にする必要がある為、製造コスト          が上り価格も高くなることと、既成の紙コップを使うことが出来ない為汎用性に劣る。
（ロ）紙コップを使用し飲料しながら物を食べる場合、飲料用紙コップと食品用容器の２種類          の容器が必要であり、同時に２種類の容器を持って食べたり、飲料したりすることは難          しく、どちらか一方はテーブルに置いておかなくてはならず不便さを感じていた。
本発明は、飲料用コップと食品容器を片手で同時に持つことができ、飲料しながら食品を食べ    ることができる食品容器連結器具を提供することを本発明の目的とするものである。
【課題を解決するための手段】
【０００５】
次に、上記課題を解決するために、その手段を説明する。
【０００６】
本発明の請求項１は、固形の食べ物を入れる食品容器と飲料用コップとを連結させる筒状の食品容器連結器具であって、内側に載置される食品容器の挿入口である上開口部と、内側に載置される飲料用コップの挿入口であって、テーパ状に形成されることで上開口部の断面の面積に比べて断面の面積が小さい下開口部と、内側に挿入された飲料用コップの上部が係止される第一切り込み止め部と、第一切り込み止め部に比べて、下開口部に近い位置に形成され、内側に挿入された飲料用コップの上部が係止される第二切り込み止め部とで構成され、上開口部から挿入された食品容器は、食品容器の底面の面積に比べて断面の面積が小さくなる箇所で係止されることにより載置され、下開口部から挿入された飲料用コップは、第一切り込み止め部または第二切り込み止め部において、飲料用コップの上部が内側から外側へ突出することにより係止されることを特徴とする食品容器連結器具。
【０００７】
このような食品容器連結器具であれば、飲料用コップと食品容器を片手で持つことができ、飲料しながら食品を食べることができる。
【０００８】
本発明の請求項２の食品連結器具は、軟性な材質で、１枚の板状からなり、組み立てると中空洞の四角錐の形状をしたもので構成され、下部側面４面に飲料用コップの上部が差し込み固定できるよう第一切り込み止め部および第二切り込み止め部と、ストロー差し込み口、飲料水注ぎ込み口を設け、折りたたみできるよう構成したことを特徴とする請求項１に記載する食品容器連結器具。
【０００９】
本発明の請求項３の食品容器は、耐油、耐水加工を施した紙状の材質で、食品連結器具の内側側面に沿い、ストロー差し込み口上部で固定できるようにした四角錐の形状で、食品容器が平面状に折りたたみできるように加工を施し、食品連結器具から食品容器が着脱できる構造にしたことを特徴とする請求項２に記載する食品容器連結器具。
【発明の効果】
【００１０】
本発明は以上のように構成されているので、以下に記載されるような効果を奏す。
【００１１】
飲食が片手でできるため、利便性が高い。
【００１２】
折りたたみができることで、コンパクトになり、特に業務用として利用する場合、小スペース    で保管でき利便性と作業性が高まる。
【００１３】
折りたたみができるため、輸送コストが抑えられ、価格低下につながる。
【００１４】
簡単な構造と、材質を紙等の安価な素材で製造することで製造コストが抑えられ、市場に安価    で提供できる。
【００１５】
携帯用飲料容器で使用する紙コップは、市販のサイズに適応させているため、特注で製造する    必要が無く、汎用性と利便性が高まる。
【００１６】
食品容器が、下部にある飲料水に触れることが無いため、衛生的である。
【００１７】
コップと食品容器が重ならない為、通常の内容量が保てる。
【００１８】
ファストフード店やコンビニ等のテイクアウト商品の新メニュー開発の一役を担うことができ
ることで、新市場が生まれる。
【００１９】
業務用としてだけでなく、一般家庭におけるレジャー、ホームパーティー、立食パーティー等
で使用している取り皿等の必要が無くなり、利便性が高まることと、廃棄ゴミの減少になる。
【００２０】
本発明は、四角錐の形状に拘るものでは無く、円錐状等の形状でも同等の効果が得られる。
【図面の簡単な説明】
【００２１】
【図１】連結器具の展開図。
【図２】連結器具の組み立て時の斜視図。
【図３】連結器具を折りたたんだ状態の斜視図。
【図４】食品容器の展開図。
【図５】食品容器の組み立て時の斜視図。
【図６】食品容器を折りたたんだ斜視図。
【図７】連結器具に食品容器を装着した斜視図。
【図８】連結器具から食品容器を取り外した斜視図。
【図９】連結器具の使用状態を示す斜視図。
【図１０】連結器具に装着したコップに飲料水を注ぎ込む斜視図。
【発明を実施するための形態】
【００２２】
次は、この発明の実施の形態について説明する。
【００２３】
図１の構成を説明する。軟性な材質で１枚の板状で構成され、異なる口径のコップ上部が差し    込み固定できるよう、切り込み止め部a1,a2,a3,a4、b1,b2,b3,b4を上下に配し、ストロー差し込    み口２と飲料水注ぎ込み口３を設け、連結器具１が折りたたみできるよう、折り曲げ部c1,c2,    c3,c4と、組み立てるための糊代部Ａを設ける構成にしたものが、連結器具１である。
【００２４】
図２の構成を説明する。糊代部Aで接着固定し、中空洞の四角錐の形状に組み立て、開口部の
広い面８を上部に、開口部の狭い面９を下部に配置するよう構成したものが連結器具１である    。
【００２５】
図３の構成を説明する。中空洞の四角錐の形状に組み立てた連結器具１を、収納時、コンパク    トになるよう折り曲げ部c1,c2,c3,c4で折りたためる構造にしたものが連結器具１である。
【００２６】
図４の構成を説明する。連結器具１の内側に載置する食品容器４で、軟性な材質で、耐油、耐    水加工を施した１枚の形状で、糊代部d1,d2,d3,d4を接着固定し組み立てると四角錐の形状にな    り、破線Ｂに折りたたみ線を入れることで、食品容器４を組み立てた状態でも折りたためる構    造にしたものが食品容器４である。
【００２７】
図５の構成を説明する。糊代部d1,d2,d3,d4で接着固定し、四角錐に組み立てた状態の食品容器    ４である。
【００２８】
図６の構成を説明する。破線Ｂに折りたたみ線を入れることで、収納時、コンパクトに折りた    ためる構造にしたものが、食品容器４である。
【００２９】
図７の構成を説明する。組み立てた連結器具１の内側に、組み立てた食品容器４を載置した状    態を示したものである。
【００３０】
図８の構成を説明する。連結器具１から食品容器４が取り外された状態で、食品容器４が着脱    可能であることを示したものである。
【００３１】
図９の構成を説明する。使用状態を示したものであり、連結器具１の上部開口部８からコップ    ６を差し込み、コップ上部を切り込み止め部a1,a2,a3,a4ないし、b1,b2,b3,b4にコップ６の口径    に応じて差し込み固定し、食品容器４を連結器具１の内側に載置し、ストロー差し込み口２か    らストロー５を差し込む構成にした食品容器連結器具である。    
【００３２】
図１１の構成を説明する。コップ６に飲料ペットボトル７で飲料水を、飲料水注ぎ込み口３    から注ぎ込むことができる構造にしたものが食品容器連結器具である。
【符号の説明】
【００３３】
１          連結器具
２          ストロー差し込み口
３          飲料水注ぎ込み口
４          食品容器
５          ストロー
６          コップ
７          飲料ペットボトル
８          開口部の広い面
９          開口部の狭い面
Ａ          糊代部
B          折りたたみ線
a1          切り込み止め部
a2          切り込み止め部
a3          切り込み止め部
a4          切り込み止め部
b1          切り込み止め部
b2          切り込み止め部
b3          切り込み止め部
b4          切り込み止め部
c1          折り曲げ部
c2          折り曲げ部
c3          折り曲げ部
c4          折り曲げ部
d1          糊代部
d2          糊代部
d3          糊代部
d4          糊代部
【図１】
0006084951.tif 000002
【図２】
0006084951.tif 000003
【図３】
0006084951.tif 000004
【図４】
0006084951.tif 000005
【図５】
0006084951.tif 000006
【図６】
0006084951.tif 000007
【図７】
0006084951.tif 000008
【図８】
0006084951.tif 000009
【図９】
0006084951.tif 000010
【図１０】
0006084951.tif 000011